(57)【特許請求の範囲】
【請求項１】
第１規格主装置から出力される制御データに基づいて、前記第１規格主装置とは構成が異なった第２規格主装置に含まれる制御部を動作させるために、前記第１規格主装置と前記第２規格主装置との間に設けられる制御データ用インターフェース部と、
前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするために、前記第１規格主装置と前記第２規格主装置との間に設けられるコンテンツデータ用インターフェース部と、
を備えることを特徴とする主装置間インターフェース装置。
【請求項２】
請求項１に記載の主装置間インターフェース装置であって、
前記制御データにより動作する前記制御部により制御される前記第２規格主装置が、前記第１規格主装置に接続された基地局が送受信する前記デジタル規格のコンテンツデータ及び前記第２規格主装置に接続された基地局が送受信する前記デジタル規格のコンテンツデータに対して、前記第１規格主装置の指示に従って、多重化及び多重分離をすることにより中継するための主制御データを、前記制御データが含むことを特徴とする主装置間インターフェース装置。
【請求項３】
請求項１又は２に記載の主装置間インターフェース装置であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第１規格主装置から前記第２規格主装置に対して出力される第１方向呼制御データを、前記制御データが含むことを特徴とする主装置間インターフェース装置。
【請求項４】
請求項１乃至３の何れか１項に記載の主装置間インターフェース装置であって、
前記制御データ用インターフェース部は、前記第１規格主装置から出力される制御データを、前記制御部に備わるインターフェースの仕様に従うように変換するための第１変換部を備え、
前記第１変換部により前記インターフェースの仕様に従うようになった前記制御データが、前記インターフェースを介して前記制御部に入力されることを特徴とする主装置間インターフェース装置。
【請求項５】
請求項１乃至４の何れか１項に記載の主装置間インターフェース装置であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第２規格主装置から前記第１規格主装置に対して出力される第２方向呼制御データは、前記制御部に備わるインターフェースから該インターフェースの仕様に従って出力され、
前記制御データ用インターフェース部は、
前記制御部に備わるインターフェースから該インターフェースの仕様に従って出力された前記第２方向呼制御データを、前記第１規格主装置の仕様に従うように変換するための第２変換部を備えることを特徴とする主装置間インターフェース装置。
【請求項６】
請求項１乃至５の何れか１項に記載の主装置間インターフェース装置であって、
前記コンテンツデータ用インターフェース部は、
前記第１規格主装置から入力するコンテンツデータのフレームフォーマットを、前記第１規格主装置のフレームフォーマットから前記第２規格主装置のフレームフォーマットに変換する第１フレームフォーマット変換部と、
前記第２規格主装置で多重分離されたコンテンツデータであって、前記第１規格主装置に出力するべきコンテンツデータを入力し、該コンテンツデータのフレームフォーマットを、前記第２規格主装置のフレームフォーマットから前記第１規格主装置のフレームフォーマットに変換する第２フレームフォーマット変換部と、
を備え、
前記第１フレームフォーマット変換部による前記変換により、前記第２規格主装置が、前記第１規格主装置から入力するコンテンツデータを、他のコンテンツデータと多重化することができるようになり、
前記第２フレームフォーマット変換部による前記変換により、前記第１規格主装置が、前記第２規格主装置から入力するコンテンツデータを、他のコンテンツデータと多重化することができるようになることを特徴とする主装置間インターフェース装置。
【請求項７】
請求項１乃至６の何れか１項に記載の主装置間インターフェース装置であって、
前記第１規格主装置が生成したクロック信号を利用して前記第２規格主装置が動作するようにするためのクロックインターフェース部を更に備えることを特徴とする主装置間インターフェース装置。
【請求項８】
請求項１乃至７の何れか１項に記載の主装置間インターフェース装置であって、
前記第２規格主装置が前記第１規格主装置から入力する前記制御データと前記コンテンツデータは多重化されており、
当該主装置間インターフェース装置は、多重化されている前記制御データと前記コンテンツデータに対して多重分離を行う多重分離手段を更に備えることを特徴とする主装置間インターフェース装置。
【請求項９】
請求項１乃至７の何れか１項に記載の主装置間インターフェース装置であって、
前記第２規格主装置が前記第１規格主装置に出力するべき制御データと前記コンテンツデータとを多重化するための多重化手段を更に備え、
前記第１規格主装置は、前記多重化手段により多重化された前記制御データと前記コンテンツデータとを入力することを特徴とする主装置間インターフェース装置。
【請求項１０】
請求項１乃至９の何れか１項に記載の主装置間インターフェース装置と、前記第１規格主装置と、前記第２規格主装置とを備えることを特徴とする主装置システム。
【請求項１１】
請求項１０に記載の主装置システムであって、
前記第２規格主装置の前記制御部により制御される１以上の他の第２規格主装置を更に備えることを特徴とする主装置システム。
【請求項１２】
第１規格主装置と、該第１規格主装置とは構成が異なった第２規格主装置との間に設けられる制御データ用インターフェース部を用いて、前記第１規格主装置から出力される制御データに基づいて、前記第２規格主装置に含まれる制御部を動作させるステップと、
前記第１規格主装置と前記第２規格主装置との間に設けられるコンテンツデータ用インターフェース部を用いて、前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするステップと、
を有することを特徴とする主装置間インターフェース方法。
【請求項１３】
コンピュータを主装置間インターフェース装置として機能させるための主装置間インターフェース装置用プログラムであって、
コンピュータを、
第１規格主装置から出力される制御データに基づいて、該第１規格主装置とは構成が異なった第２規格主装置に含まれる制御部を動作させるために、前記第１規格主装置と前記第２規格主装置との間に設けられる制御データ用インターフェース部と、
前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするために、前記第１規格主装置と前記第２規格主装置との間に設けられるコンテンツデータ用インターフェース部と、
として機能させるための主装置間インターフェース用プログラム。
【発明の詳細な説明】
【技術分野】
【０００１】
本発明は、主装置と他の主装置とを接続するための主装置間インターフェス装置に関し、特に、第１規格の主装置と第２規格の主装置とを接続するための主装置間インターフェース装置に関する。また、本発明は、その主装置間インターフェース装置を含む主装置システム及びその主装置間インターフェース装置により行われる主装置間インターフェース方法に関する。
【背景技術】
【０００２】
通常の主装置システムの構成を図１に示す。図１を参照すると、通常の主装置システムは、複数の主装置９０１−１、９０１−２、・・・、９０１−Ｎを含む。ここで、主装置９０１−１、９０１−２、・・・、９０１−Ｎは、全て同一の規格に従ったものであるが、ここでは、第２規格に従っているものとし、そこで、主装置９０１−１、９０１−２、・・・、９０１−Ｎを第２規格主装置９０１−１、９０１−２、・・・、９０１−Ｎということにする。複数の第２規格主装置９０１−１、９０１−２、・・・、９０１−Ｎは、それぞれ、単独でも機能することが可能であり、そのような場合には、第２規格主装置９０１は、それに含まれる制御部９０３により全体の動作が制御される。第２規格主装置９０１を複数合わせることにより、主装置システムを構築することが可能であるが、このような場合には、図１に示すように、第２規格主装置９０１−１、９０１−２、・・・、９０１−Ｎは、相互にケーブル９０５により接続される。そして、１台の主装置９０１（図１の例では、第１の第２規格主装置９０１−１）の制御部９０３−１のみが有効化され、残りの主装置９０１（図１の例では、第２の第２規格主装置９０１−２から第Ｎの第２規格主装置９０１−Ｎ）の制御部（図１の例では、第２の第２規格主装置９０１−２の制御部９０３−２から第Ｎの第２規格主装置９０１−Ｎの制御部９０３−Ｎ）は無効化される。そして、第１の第２規格主装置９０１−１から第Ｎの第２規格主装置９０１−Ｎは、第１の第２規格主装置９０１−１に含まれる制御部９０３−１により制御される。
【０００３】
図２は、第２規格主装置９０１−ｓ（ｓ＝１、２、・・・、Ｎ）の内部構成などを示す概念図である。図２を参照すると、第２規格主装置９０１−ｓは、制御部９０３−ｓ、第１の基地局インターフェース９０７−ｓ−１から第Ｍの基地局インターフェース９０７−ｓ−Ｍ、空きスロット９０９−ｓ及びバックボード９１１−ｓを含む。バックボード９１１−ｓは、制御部９０３−ｓ、第１の基地局インターフェース９０７−ｓ−１から第Ｍの基地局インターフェース９０７−ｓ−Ｍ及び空きスロット９０９−ｓを相互に接続するためのものである。制御部９０３−ｓ及び第１の基地局インターフェース９０７−ｓ−１から第Ｍの基地局インターフェース９０７−ｓ−Ｍは、バックボード９１１−ｓのスロットに差し込まれたカード型基板の形態を有する。カード型基板が差し込まれていないスロットが空きスロット９０９−ｓである。
【０００４】
第１の基地局インターフェース９０７−ｓ−１から第Ｍの基地局インターフェース９０７−ｓ−Ｍは、それぞれ、第１の基地局９１３−ｓ−１から第Ｍの基地局９１３−ｓ−Ｍに接続されている。
【０００５】
第１の端末９２１−１から第Ｌの端末９２１−Ｌは、第１の基地局９１３−ｓ−１から第Ｍの基地局９１３−ｓ−Ｍのうちの何れかの基地局との間で、所定の通信規格に従って、無線通信を行う。所定の通信規格としては、例えば、ＰＨＳ(Personal Handy-phone System)、無線ＬＡＮ(Local Area Network)規格、Ｗ−ＣＤＭＡ(Wideband-Code Division Multiple Access)、ＭＩＭＯ(Multiple Input Multiple Output)などがあげられる。
【０００６】
上述した構成により、主装置システム内において、何れかの第２規格主装置９０１−ｓ（ｓ＝１、２、・・・、Ｎ）に接続されている何れかの基地局９１３−ｍ（ｍ＝１、２、・・・、Ｍ）に接続されている端末９２１は、その主装置９０１−ｓに接続されている何れかの基地局９１３−ｍ’（ｍ（＝１、２、・・・、Ｍ）に接続されている他の端末９２１と通信を行うことが可能となるばかりではなく、主装置システム内において、何れかの第２規格主装置９０１−ｓ（ｓ＝１、２、・・・、Ｎ）に接続されている何れかの基地局９１３−ｍ（ｍ＝１、２、・・・、Ｍ）に接続されている端末９２１は、他の何れか主装置９０１−ｓ’（ｓ’＝１、２、・・・、Ｎ）に接続されている何れかの基地局９１３−ｍ’（ｍ’＝１、２、・・・、Ｍ）に接続されている他の端末９２１と通信を行うことが可能となる。
従って、バックボード９１１−ｓは、主装置システムに含まれる任意の基地局９１３に接続されている端末９２１と、主装置システムに含まれる任意の基地局９１３’に接続されている端末９２１’との間で送受信されるデータを中継することになり、これは、そのデータを他の端末間のデータと多重化し、更に、多重分離することにより行う。
【０００７】
特許文献１には、サーバ装置として機能するコンピュータに交換装置を接続し、一般の交換装置に備えられているタイムスイッチ機能及び交換制御機能をその交換機に含めず、サーバ装置に備わるタイムスイッチ部とＣＰＵが、それぞれ、タイムスイッチ機能と交換制御機能を代行する技術が記載されている。
【先行技術文献】
【特許文献】
【０００８】
【特許文献１】特開２００２−２６１９２４号公報
【発明の概要】
【発明が解決しようとする課題】
【０００９】
ところで、図１に示すように、第２規格主装置９０１−１、９０１−２、・・・、９０１−Ｎを相互にケーブル９０５により接続し、第１の第２規格主装置９０１−１に含まれる制御部９０３−１により、第２規格主装置９０１−１、９０１−２、・・・、９０１−Ｎを制御することが可能であるのは、これらの主装置が全て、同一規格である第２規格に準拠したものであるからである。
【００１０】
従って、上記の主装置システムに、第２規格とは異なった第１規格に準拠した主装置を、単に、ケーブルにより接続し、その主装置の制御部を無効化しても、第１規格に準拠した主装置は、正常に動作できず、従って、上記の主装置システムを簡単に拡張することはできない。
【００１１】
また、上記の主装置システムに、第２規格とは異なった第１規格に準拠した主装置を、単に、ケーブルにより接続し、その主装置の制御部を有効化して、主装置システムに含まれる全ての第２規格の主装置の制御部を無効化しても、第１規格に準拠した主装置も第２規格に準拠した主装置も、正常に動作できず、従って、上記の主装置システムを簡単に拡張することはできない。
【００１２】
ここで、現在使用している主装置システムが複数の第２規格主装置により構成されているが、第２規格主装置よりも機能が高まった第１規格主装置がメーカにより開発された場合、ユーザは、第１規格の機能を導入することを検討するが、主装置システム全体を置き換えるとなると、導入コストの面からも、導入作業の面からも、そのような導入をためらってしまう。そうすると、それまで使用していた、第２規格主装置をそのまま使い、１台の第１規格主装置を追加して構築される主装置システムが、第１規格の機能を備えることが可能であるならば、導入コストの面からも導入作業の面からもメリットがあり、導入に対するユーザのためらいはほとんどなくなる。また、社会経済的に見ても、環境面から見ても、そのようなことはメリットがある。
【００１３】
特許文献１に記載されている技術では、交換装置が本来備えているべきタイムスイッチ機能と交換制御機能をサーバ装置が備えるものの、交換装置もサーバ装置も共通の規格の下で動作するので、異なった規格間での変換処理を行うことができず、従って、第１規格の装置と第２規格の装置とを接続することはできない。
【００１４】
そこで、本発明は、第１規格の主装置と第２規格の主装置とを主装置システムに混在させても両主装置が正常に機能することを可能とする主装置間インターフェース装置、その主装置間インターフェース装置を含む主装置システム及びその主装置間インターフェース装置により行われる主装置間インターフェース方法を提供することを目的とする。
【課題を解決するための手段】
【００１５】
本発明の第１の観点によれば、第１規格主装置から出力される制御データに基づいて、前記第１規格主装置とは構成が異なった第２規格主装置に含まれる制御部を動作させるために、前記第１規格主装置と前記第２規格主装置との間に設けられる制御データ用インターフェース部と、前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするために、前記第１規格主装置と前記第２規格主装置との間に設けられるコンテンツデータ用インターフェース部と、を備えることを特徴とする主装置間インターフェース装置が提供される。
【００１６】
また、本発明の第２の観点によれば、第１規格主装置と、該第１規格主装置とは構成が異なった第２規格主装置との間に設けられる制御データ用インターフェース部を用いて、前記第１規格主装置から出力される制御データに基づいて、前記第２規格主装置に含まれる制御部を動作させるステップと、前記第１規格主装置と前記第２規格主装置との間に設けられるコンテンツデータ用インターフェース部を用いて、前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするステップと、を有することを特徴とする主装置間インターフェース方法が提供される。
【００１７】
更に、本発明の第３の観点によれば、コンピュータを主装置間インターフェース装置として機能させるための主装置間インターフェース装置用プログラムであって、コンピュータを、第１規格主装置から出力される制御データに基づいて、該第１規格主装置とは構成が異なった第２規格主装置に含まれる制御部を動作させるために、前記第１規格主装置と前記第２規格主装置との間に設けられる制御データ用インターフェース部と、前記制御データにより動作する前記制御部により制御される前記第２規格主装置が、前記第１規格主装置に接続された基地局が送受信するデジタル規格のコンテンツデータ及び前記第２規格主装置に接続された基地局が送受信するデジタル規格のコンテンツデータに対して、前記第１規格主装置の指示に従って、多重化及び多重分離をすることにより中継をするために、前記第１規格主装置と前記第２規格主装置との間に設けられるコンテンツデータ用インターフェース部と、として機能させるための主装置間インターフェース用プログラムが提供される。
【発明の効果】
【００１８】
本発明によれば、第１規格の主装置と第２規格の主装置とを主装置システムに混在させても両主装置が正常に機能することが可能となる。
【図面の簡単な説明】
【００１９】
【図１】通常の主装置システムの構成を示す概念図である。
【図２】図１に示す第２規格主装置９０１−ｓ（ｓ＝１、２、・・・、Ｎ）の内部構成などを示す概念図である。
【図３】本発明の実施形態による主装置システムの全体の概要を示す概念図である。
【図４】本発明の実施形態による第１規格主装置１０１の内部構成などを示す概念図である。
【図５】本発明の実施形態による第１の接続カード１０７の内部構成の詳細及び第２の接続カード１０９の内部構成の詳細を示すブロック図である。
【図６】（ａ）は、第１コンテンツデータの変換を説明するための概念図であり、（ｂ）は、第２コンテンツデータの変換を説明するための概念図である。
【図７】（ａ）は、第１制御データの変換を説明するための概念図であり、（ｂ）は、第２制御データの変換を説明するための概念図である。
【発明を実施するための形態】
【００２０】
以下、図面を参照して本発明を実施するための形態について詳細に説明する。
【００２１】
図３は、本発明の実施形態による主装置システムの全体の概要を示す概念図である。
【００２２】
図３を参照すると、本発明の実施形態による主装置システムは、第１規格主装置１０１、第１の第２規格主装置９０１−１、第２の第２規格主装置９０１−２、・・・、第Ｎの第２規格主装置９０１−Ｎを含む。
【００２３】
第１の第２規格主装置９０１−１、第２の第２規格主装置９０１−２、・・・、第Ｎの第２規格主装置９０１−Ｎは、通常技術と同様に、ケーブル９０５により相互に接続される。これに対し、第１規格主装置１０１と第１の第２規格主装置９０１−１は、本発明に従ったケーブル１１１により相互に接続される。
【００２４】
第１規格主装置１０１は、制御部１０３及び増設用インターフェース１０５を含む。この他の構成要素については、後述する。
【００２５】
制御部１０３は、第１規格に従ったものである。増設用インターフェース１０５は、第１規格主装置１０１と第１の第２規格主装置９０１−１とを接続するためのものである。
【００２６】
図３の第１の第２規格主装置９０１−１を見ると、制御部９０３−１は、図１及び図２に示す、通常の制御部９０３−１と同様なものであるが、ハードウェアのみが有効となっている。通常技術で有効となっている制御部９０３−１のファームウェア（図示せず。）は、制御部９０３−１のハードウェアを第１規格に従って動作させるためのものである。制御部９０３−１のファームウェアは、例えば、ＲＯＭ(Read Only Memory)に書き込まれており、このＲＯＭを含んだファームウェア子カードは、ＰＣＩバス(Peripheral Components Interconnect bus)を介して、制御部９０３−１のハードウェアと接続される。
【００２７】
本実施形態では、制御部９０３−１のファームウェア子カードは、制御部９０３−１から取り外されており、これに代わり、第１の接続カード１０７がＰＣＩバスを介して、制御部９０３−１のハードウェアと接続されている。従って、制御部９０３−１のハードウェアは、第１の接続カード１０７との間で入出力するデータに従って動作することになる。第１の接続カード１０７は、例えば、制御部９０３−１に子カードとして制御部９０３−１に搭載される。第１の接続カード１０７の詳細は後述する。
【００２８】
第１の第２規格主装置９０１−１の空きスロット９０９−ｓ（図２参照）には、第２の接続カード１０９が挿入される。第１の接続カード１０７と第２の接続カード１０９とは、ケーブル１１３により接続される。第２の接続カード１０９と増設用インターフェース１０５とは、ケーブル１１１により接続される。第２の接続カード１０９の詳細は後述する。
【００２９】
第１規格主装置１０１は、これに含まれる制御部１０３により制御される。そして、第１の第２規格主装置９０１−１の制御部９０３−１は、上述したように、第１の接続カード１０７との間で入出力するデータに従って動作する。そのデータの中でも、特に、第１の接続カード１０７から制御部９０３−１のハードウェアに対して出力される制御データは、第１規格主装置１０１から増設用インターフェース１０５、ケーブル１１１、第２の接続カード１０９及びケーブル１１３を介して、第１の接続カード１０７に供給されるものである。従って、第１の第２規格主装置９０１−１の制御部９０３−１のハードウェアは、第１規格主装置１０１から出力される制御データに従って動作することになる。
【００３０】
また、第２の第２規格主装置９０１−２の制御部９０３−２から第Ｎの第２規格主装置９０１−Ｎの制御部９０３−Ｎまでが全て無効化され、第１の第２規格主装置９０１−１から第Ｎの第２規格主装置９０１−Ｎが、第１の第２規格主装置９０１−１に含まれる制御部９０３−１（直接的には、制御部９０３−１のハードウェア）によって制御される。
【００３１】
従って、第１の第２規格主装置９０１−１から第Ｎの第２規格主装置９０１−Ｎは、第１規格主装置１０１から出力される制御データに従って動作することになる。
【００３２】
従って、第１規格主装置１０１、第１の第２規格主装置９０１−１、第２の第２規格主装置９０１−２、・・・、第Ｎの第２規格主装置９０１−Ｎを含む主装置システムの全体は、第１規格主装置１０１に含まれる制御部１０３により制御されることとなる。
【００３３】
図４は、本発明の実施形態による第１規格主装置１０１の内部構成などを示す概念図である。図４を参照すると、第１規格主装置１０１は、制御部１０３、第１の基地局インターフェース１２１−１から第Ｍの基地局インターフェース１２１−Ｍ、増設用インターフェース１０５及びバックボード１１１を含む。バックボード１１１は、制御部１０３、第１の基地局インターフェース１２１−１から第Ｍの基地局インターフェース１２１−Ｍ及び増設用インターフェース１０５を相互に接続するためのものである。制御部１０３、第１の基地局インターフェース１２１−１から第Ｍの基地局インターフェース１２１−Ｍ及び増設用インターフェース１０５は、バックボード１１１のスロットに差し込まれたカード型基板の形態を有する。
【００３４】
第１の基地局インターフェース１２１−１から第Ｍの基地局インターフェース１２１−Ｍは、それぞれ、第１の基地局１３１−１から第Ｍの基地局１３１−Ｍに接続されている。
【００３５】
第１の端末１４１−１から第Ｌの端末１４１−Ｌは、第１の基地局１３１−１から第Ｍの基地局１３１−Ｍのうちの何れかの基地局との間で、所定の通信規格に従って、無線通信を行う。所定の通信規格としては、例えば、ＰＨＳ(Personal Handy-phone System)、無線ＬＡＮ(Local Area Network)規格、Ｗ−ＣＤＭＡ(Wideband-Code Division Multiple Access)、ＭＩＭＯ(Multiple Input Multiple Output)などがあげられる。
【００３６】
上述した構成により、主装置システム内において、第１規格主装置１０１に接続されている何れかの基地局１３１−ｍ（ｍ＝１、２、・・・、Ｍ）に接続されている端末１４１は、第１規格主装置１０１に接続されている何れかの基地局１３１−ｍ’（ｍ’＝１、２、・・・、Ｍ）に接続されている他の端末１４１と通信を行うことが可能となるばかりではなく、主装置システム内において、第１規格主装置１０１に接続されている何れかの基地局１３１−ｍ（ｍ＝１、２、・・・、Ｍ）に接続されている端末１４１は、任意の第２規格主装置９０１−ｓ（ｓ＝１、２、・・・、Ｎ）に接続されている何れかの基地局９１３−ｍ（ｍ＝１、２、・・・、Ｍ）に接続されている他の端末９２１と通信を行うことが可能となる。更に、通常技術の場合と同様に、主装置システム内において、任意の第２規格主装置９０１−ｓ（ｓ＝１、２、・・・、Ｎ）に接続されている何れかの基地局９１３−ｍ（ｍ＝１、２、・・・、Ｍ）に接続されている端末９２１は、他の任意の主装置９０１−ｓ’（ｓ’＝１、２、・・・、Ｎ）に接続されている何れかの基地局９１３−ｍ’（ｍ’＝１、２、・・・、Ｍ）に接続されている他の端末９２１と通信を行うことが可能となる。
【００３７】
従って、バックボード１１１及びバックボード９１１−ｓは、それぞれ、主装置システムに含まれる任意の基地局１３１に接続されている端末１４１又は任意の基地局９１３に接続されている端末９２１と、主装置システムに含まれる任意の基地局１３１’に接続されている端末１４１’又は任意の基地局９１３’に接続されている端末９２１’との間で送受信されるデータを中継することになり、これは、そのデータを他の端末間のデータと多重化し、更に、多重分離することにより行う。
【００３８】
図５は、第１の接続カード１０７の内部構成の詳細及び第２の接続カード１０９の内部構成の詳細を示すブロック図である。
【００３９】
図５を参照すると、第１の接続カード１０７は、第１制御データフレームフォーマット変換部１３１及び第２制御データフレームフォーマット変換部１３３を含む。また、第２の接続カード１０９は、多重分離部１２１、第１コンテンツデータフレームフォーマット変換部１２３、位相同期ループ部１２５、多重化部１２７及び第２コンテンツデータフレームフォーマット変換部１２９を含む。ここで、コンテンツデータは、音声データ、動画データ、静止画データ、テキストデータ、電子文書データなどのうちの少なくとも一部を含むが他の種類のコンテンツデータであってもよい。
【００４０】
多重分離部１２１は、第１制御データ、第１コンテンツデータ及びクロック信号が多重化されている入力多重化データ２０１を、増設用インタフェース１０５からケーブル１１１を介して入力し、多重化データに対して多重分離処理をして、これにより分離された第１制御データ２０５、第１コンテンツデータ２０３及びクロック信号２０７を別々に出力する。ここで、「第１制御データ」に含まれる「第１」と、「第１コンテンツデータ」に含まれる「第１」は、第１規格主装置１０１から第１の第２規格主装置９０１−１の方向に伝送されることを示す。後の説明で「第２制御データ」と「第２コンテンツデータ」という用語が用いられるが、これらに含まれる「第２」は、第１の第２規格主装置９０１−１から第１規格主装置１０１の方向に伝送されることを示す。多重化データにおいては、第１制御データ及び第１コンテンツデータは、第１規格主装置のフレームフォーマットに従ってフレーム化されており、多重分離した後においても、第１制御データ及び第１コンテンツデータは、第１規格主装置のフレームフォーマットに従ってフレーム化されている。
【００４１】
位相同期ループ部１２５は、クロック信号２０７を多重分離部１２１から入力する。そして、位相同期ループ部１２５は、入力したクロック信号に同期しており、且つ、安定したクロック信号を出力クロック信号２１３として出力する。出力クロック信号２１３は、第２の接続カード１０９の各部、第１の接続カード１０７の各部でそこでのクロック信号として用いられる。また、出力クロック信号は、バックボード９１１−１を介して、主装置システム全体に分配され、主装置システム全体でシステムクロック信号として用いられる。
【００４２】
図６（ａ）にそのタイミング図を示すように、第１コンテンツデータフレームフォーマット変換部１２３は、第１コンテンツデータ２０３を多重分離部１２１から入力し、第１コンテンツデータのフレームフォーマットを第１規格主装置１０１のフレームフォーマットから第２規格主装置９０１のフレームフォーマットに変換する。フレームフォーマットの変換のためには、例えば、第１コンテンツデータフレームフォーマット変換部１２３は、内部にバッファメモリを備える。また、フレームフォーマットの変換のためには、例えば、第１規格主装置１０１のフレームフォーマットに従ったフレームタイミング信号と第２規格主装置９０１のフレームフォーマットに従ったフレームタイミング信号とを用いる。第２規格主装置９０１のフレームフォーマットを有する第１コンテンツデータ２０９は、第１コンテンツデータフレームフォーマット変換部１２３から出力され、第２規格主装置９０１−１のバックボード９１１−１に供給され、そこで、他のコンテンツデータとの間で、多重化及び多重分離されることにより、中継される。
【００４３】
図７（ａ）にそのタイミング図を示すように、第１制御データフォーマット変換部１３１は、第１制御データ２０５をケーブル１１３を介して多重分離部１２１から入力し、第１制御データのフォーマットを第１規格主装置１０１のフレームフォーマットから第２規格主装置９０１の制御部９０３−１におけるハードウェアとファームウェアのインターフェースであるＰＣＩバス９０３Ｐ−１の仕様に準拠したフォーマットに変換する。フォーマットの変換の為には、例えば、第１制御データフォーマット変換部１３１は、内部にバッファメモリを備える。また、フォーマット変換のためには、例えば、第１規格主装置１０１のフレームフォーマットに従ったフレームタイミング信号とＰＣＩバスにおける種々の制御信号とを用いる。ＰＣＩバスの仕様に準拠することとなった第１制御データ２１１は、制御部９０３−１のハードウェア９０３Ｈ−１にＰＣＩバス９０３Ｐ−１を介して供給される。
【００４４】
第２規格主装置９０１のフレームフォーマットを有するコンテンツデータであって、第１の第２規格主装置９０１−１から第１規格主装置１０１に出力されるべき第２コンテンツデータ２２１は、バックボード９１１−１で他のコンテンツデータとの間で多重化と多重分離をされてから、バックボード９１１−１から第２コンテンツデータフレームフォーマット変換部１２９に供給される。
【００４５】
図６（ｂ）にそのタイミング図を示すように、第２コンテンツデータフレームフォーマット変換部１２９は、第２コンテンツデータのフレームフォーマットを第２規格主装置９０１のフレームフォーマットから第１規格主装置１０１のフレームフォーマットに変換する。フレームフォーマットの変換のためには、例えば、第２コンテンツデータフレームフォーマット変換部１２９は、内部にバッファメモリを備える。また、フレームフォーマットの変換のためには、例えば、第１規格主装置１０１のフレームフォーマットに従ったフレームタイミング信号と第２規格主装置９０１のフレームフォーマットに従ったフレームタイミング信号とを用いる。
【００４６】
図７（ｂ）にそのタイミング図を示すように、第２制御データフォーマット変換部１３３は、第２制御データ２２３を制御部９０３−１のハードウェア９０３Ｈ−１からＰＣＩバス９０３Ｐ−１を介して入力し、第２制御データ２２３のフォーマットを、第２規格主装置９０１の制御部９０３−１におけるハードウェア９０３Ｈ−１とファームウェアのインターフェースであるＰＣＩバス９０３Ｐ−１に準拠したフォーマットから、第１規格主装置１０１のフレームフォーマットに変換する。また、フォーマットの変換の為には、例えば、第２制御データフォーマット変換部１２９は、内部にバッファメモリを備える。また、フォーマット変換のためには、例えば、第１規格主装置１０１のフレームフォーマットに従ったフレームタイミング信号とＰＣＩバスにおける種々の制御信号とを用いる。
【００４７】
ここで、図６（ａ）、図６（ｂ）、図７（ａ）及び図７（ｂ）に示すタイミング図は、説明のための模式的なものである。実際には、コンテンツデータ及び／又は制御データは、変換前及び／又は変換後において、連続的なものであってもよいし、不連続なものであってもよい。例えば、変換後の出力先で受け入れることが可能なタイミングのみにおいて有効なデータが含まれるようにしてもよいし、そのために、例えば、変換後のデータを不連続なものにしてもよい。
【００４８】
また、第１コンテンツデータは、第１コンテンツデータフレームフォーマット変換部１２３でフォーマットが変換されても、それ自体が有する情報は失われていない。同様に、第２コンテンツデータは、第２コンテンツデータフレームフォーマット変換部１２９でフォーマットが変換されても、それ自体が有する情報は失われていない。同様に、第１制御データは、第１制御データフレームフォーマット変換部１３１でフォーマットが変換されても、それ自体が有する情報は失われていない。従って、第１の第２規格主装置９０１−１の制御部９０３のハードウェア９０３Ｈは、第１規格主装置１０１の主導の下で動作する。同様に、第２制御データは、第２制御データフレームフォーマット変換部１３３でフォーマットが変換されても、それ自体が有する情報は失われていない。
【００４９】
多重化部１２７は、第２コンテンツデータフレームフォーマット変換部１２９から第２コンテンツデータを入力し、第２制御データフォーマット変換部１３３から第２制御データを入力し、これらの入力したデータを多重化して、それにより得た多重化データ２３１を、ケーブル１１１を介して増設用インターフェース１０５に供給する。
【００５０】
多重化データ２３１は、第１規格主装置１０１のフレームフォーマットに従っているため、この多重化データ２３１に含まれる第２コンテンツデータは、更なるフレームフォーマット変換などを経ずに、第１規格主装置１０１のバックボード１１１で他のコンテンツデータとの間で多重化と多重分離される。また、多重化データ２３１に含まれる第２制御データも、更なるフレームフォーマット変換などを経ずに、第１規格主装置１０１のバックボード１１１で他の制御データとの間で多重化され、多重分離される。
【００５１】
上述した第１制御データは、第１の第２規格主装置９０１−１の制御部９０３−１のハードウェア９０３Ｈ−１の動作を制御するための主制御データを含む。この主制御データにより制御されたハードウエア９０３Ｈ−１は、例えば、バックボード９１１−１におけるコンテンツデータの多重化及び多重分離のためのタイミング制御を行う。
【００５２】
また、上述した第１制御データは、端末間で呼を確立するための呼制御データであって、第１規格主装置１０１から第１の第２規格主装置９０１−１の方向に伝送される呼制御データである第１方向呼制御データも含む。
【００５３】
更に、上述した第２制御データは、第１の第２規格主装置９０１−１の制御部９０３−１のハードウェア９０３Ｈ−１の動作を制御するための主制御データに関連したデータであって、第２規格主装置９０１−１から第１の第１規格主装置１０１の方向に伝送されるデータを含む。
【００５４】
更に、上述した第２制御データは、端末間で呼を確立するための呼制御データであって、第２規格主装置９０１−１から第１の第１規格主装置１０１の方向に伝送される呼制御データである第２方向呼制御データも含む。
【００５５】
本実施形態の第一の効果は、第２規格の主装置に第１規格の主装置と同等の機能を提供でき、その上、システム拡張後の第２規格の主装置がシステム拡張前の第２規格の主装置の機能を継承することもできることである。これは、第２規格の主装置が第１規格の主装置から見た場合、増設架となっているからである。
【００５６】
本実施形態の第二の効果は、配線工事、装置の設置等によるシステム停止時間が短いことである。これは、第１から第Ｎの第２規格主装置が搭載されているラックに１台の第１規格主装置を追加的に搭載し、第１の第１規格主装置の制御部のファームウェアを第１接続カードに交換し、第１の第１規格主装置の空きスロットに第２の接続カードを挿入し、所定のケーブル接続をするだけで、新主装置システムを構築することができるためである。
【００５７】
なお、上記の第１の接続カード、第２の接続カード及び増設用インターフェースは、それぞれ、ハードウェア、ソフトウェア又はこれらの組合わせにより実現することができる。また、上記の第１の接続カード、第２の接続カード及び増設用インターフェースにより行なわれる主装置間接続方法も、ハードウェア、ソフトウェア又はこれらに組合わせにより実現することができる。ここで、ソフトウェアによって実現されるとは、コンピュータがプログラムを読み込んで実行することにより実現されることを意味する。
【００５８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５９】
上記の実施形態の一部又は全部は、以下の付記のようにも記載されうるが、以下には限られない。
【００６０】
（付記１）
第１規格主装置から出力される制御データに基づいて、第２規格主装置に含まれる制御部を動作させるために、前記第１規格主装置と前記第２規格主装置との間に設けられる制御データ用インターフェース部と、
前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継をするために、前記第１規格主装置と前記第２規格主装置との間に設けられるコンテンツデータ用インターフェース部と、
を備えることを特徴とする主装置間インターフェース装置。
【００６１】
（付記２）
付記１に記載の主装置間インターフェース装置であって、
前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継するための主制御データを、前記制御データが含むことを特徴とする主装置間インターフェース装置。
【００６２】
（付記３）
付記１又は２に記載の主装置間インターフェース装置であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第１規格主装置から前記第２規格主装置に対して出力される第１方向呼制御データを、前記制御データが含むことを特徴とする主装置間インターフェース装置。
【００６３】
（付記４）
付記１乃至３の何れか１に記載の主装置間インターフェース装置であって、
前記制御データ用インターフェース部は、前記第１規格主装置から出力される制御データを、前記制御部に備わるインターフェースの仕様に従うように変換するための第１変換部を備え、
前記第１変換部により前記インターフェースの仕様に従うようになった前記制御データが、前記インターフェースを介して前記制御部に入力されることを特徴とする主装置間インターフェース装置。
【００６４】
（付記５）
付記１乃至４の何れか１に記載の主装置間インターフェース装置であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第２規格主装置から前記第１規格主装置に対して出力される第２方向呼制御データは、前記制御部に備わるインターフェースから該インターフェースの仕様に従って出力され、
前記制御データ用インターフェース部は、
前記制御部に備わるインターフェースから該インターフェースの仕様に従って出力された前記第２方向呼制御データを、前記第１規格主装置の仕様に従うように変換するための第２変換部を備えることを特徴とする主装置間インターフェース装置。
【００６５】
（付記６）
付記１乃至５の何れか１に記載の主装置間インターフェース装置であって、
前記コンテンツデータ用インターフェース部は、
前記第１規格主装置から入力するコンテンツデータのフレームフォーマットを、前記第１規格主装置のフレームフォーマットから前記第２規格主装置のフレームフォーマットに変換する第１フレームフォーマット変換部と、
前記第２規格主装置で多重分離されたコンテンツデータであって、前記第１規格主装置に出力するべきコンテンツデータを入力し、該コンテンツデータのフレームフォーマットを、前記第２規格主装置のフレームフォーマットから前記第１規格主装置のフレームフォーマットに変換する第２フレームフォーマット変換部と、
を備え、
前記第１フレームフォーマット変換部による前記変換により、前記第２規格主装置が、前記第１規格主装置から入力するコンテンツデータを、他のコンテンツデータと多重化することができるようになり、
前記第２フレームフォーマット変換部による前記変換により、前記第１規格主装置が、前記第２規格主装置から入力するコンテンツデータを、他のコンテンツデータと多重化することができるようになることを特徴とする主装置間インターフェース装置。
【００６６】
（付記７）
付記１乃至６の何れか１に記載の主装置間インターフェース装置であって、
前記第１規格主装置が生成したクロック信号を利用して前記第２規格主装置が動作するようにするためのクロックインターフェース部を更に備えることを特徴とする主装置間インターフェース装置。
【００６７】
（付記８）
付記１乃至７の何れか１に記載の主装置間インターフェース装置であって、
前記第２規格主装置が前記第１規格主装置から入力する前記制御データと前記コンテンツデータは多重化されており、
当該主装置間インターフェース装置は、多重化されている前記制御データと前記コンテンツデータに対して多重分離を行う多重分離手段を更に備えることを特徴とする主装置間インターフェース装置。
【００６８】
（付記９）
付記１乃至７の何れか１に記載の主装置間インターフェース装置であって、
前記第２規格主装置が前記第１規格主装置に出力するべき制御データと前記コンテンツデータとを多重化するための多重化手段を更に備え、
前記第１規格主装置は、前記多重化手段により多重化された前記制御データと前記コンテンツデータとを入力することを特徴とする主装置間インターフェース装置。
【００６９】
（付記１０）
付記１乃至９の何れか１に記載の主装置間インターフェース装置と、前記第１規格主装置と、前記第２規格主装置とを備えることを特徴とする主装置システム。
【００７０】
（付記１１）
付記１０に記載の主装置システムであって、
前記第２規格主装置の前記制御部により制御される１以上の他の第２規格主装置を更に備えることを特徴とする主装置システム。
【００７１】
（付記１２）
第１規格主装置と第２規格主装置との間に設けられる制御データ用インターフェース部を用いて、前記第１規格主装置から出力される制御データに基づいて、前記第２規格主装置に含まれる制御部を動作させるステップと、
前記第１規格主装置と前記第２規格主装置との間に設けられるコンテンツデータ用インターフェース部を用いて、前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継をするステップと、
を有することを特徴とする主装置間インターフェース方法。
【００７２】
（付記１３）
付記１２に記載の主装置間インターフェース方法であって、
前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継するための主制御データを、前記制御データが含むことを特徴とする主装置間インターフェース方法。
【００７３】
（付記１４）
付記１２又は１３に記載の主装置間インターフェース方法であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第１規格主装置から前記第２規格主装置に対して出力される第１方向呼制御データを、前記制御データが含むことを特徴とする主装置間インターフェース方法。
【００７４】
（付記１５）
付記１２乃至１４の何れか１に記載の主装置間インターフェース方法であって、
前記制御データ用インターフェース部が、前記第１規格主装置から出力される制御データを、前記制御部に備わるインターフェースの仕様に従うように変換する第１変換ステップを更に有し、
前記第１変換ステップにより前記インターフェースの仕様に従うようになった前記制御データが、前記インターフェースを介して前記制御部に入力されることを特徴とする主装置間インターフェース方法。
【００７５】
（付記１６）
付記１２乃至１５の何れか１に記載の主装置間インターフェース方法であって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第２規格主装置から前記第１規格主装置に対して出力される第２方向呼制御データは、前記制御部に備わるインターフェースから該インターフェースの仕様に従って出力され、
前記制御データ用インターフェース部が、前記制御部に備わるインターフェースから該インターフェースの仕様に従って出力された前記第２方向呼制御データを、前記第１規格主装置の仕様に従うように変換するための第２変換ステップを更に有することを特徴とする主装置間インターフェース方法。
【００７６】
（付記１７）
付記１２乃至１６の何れか１に記載の主装置間インターフェース方法であって、
前記コンテンツデータ用インターフェース部が、前記第１規格主装置から入力するコンテンツデータのフレームフォーマットを、前記第１規格主装置のフレームフォーマットから前記第２規格主装置のフレームフォーマットに変換する第１フレームフォーマット変換ステップと、
前記コンテンツデータ用インターフェース部が、前記第２規格主装置で多重分離されたコンテンツデータであって、前記第１規格主装置に出力するべきコンテンツデータを入力し、該コンテンツデータのフレームフォーマットを、前記第２規格主装置のフレームフォーマットから前記第１規格主装置のフレームフォーマットに変換する第２フレームフォーマット変換ステップと、
を更に有し、
前記第１フレームフォーマット変換部による前記変換により、前記第２規格主装置が、前記第１規格主装置から入力するコンテンツデータを、他のコンテンツデータと多重化することができるようになり、
前記第２フレームフォーマット変換部による前記変換により、前記第１規格主装置が、前記第２規格主装置から入力するコンテンツデータを、他のコンテンツデータと多重化することができるようになることを特徴とする主装置間インターフェース方法。
【００７７】
（付記１８）
付記１２乃至１７の何れか１に記載の主装置間インターフェース方法であって、
クロックインターフェース部が、前記第１規格主装置が生成したクロック信号を利用して前記第２規格主装置が動作するようにするためステップを更に有することを特徴とする主装置間インターフェース方法。
【００７８】
（付記１９）
付記１２乃至１８の何れか１に記載の主装置間インターフェース方法であって、
前記第２規格主装置が前記第１規格主装置から入力する前記制御データと前記コンテンツデータは多重化されており、
多重化されている前記制御データと前記コンテンツデータに対して多重分離を行う多重分離ステップを更に有することを特徴とする主装置間インターフェース方法。
【００７９】
（付記２０）
付記１２乃至１８の何れか１に記載の主装置間インターフェース方法であって、
前記第２規格主装置が前記第１規格主装置に出力するべき制御データと前記コンテンツデータとを多重化するための多重化ステップを更に有し、
前記第１規格主装置は、前記多重化ステップにより多重化された前記制御データと前記コンテンツデータとを入力することを特徴とする主装置間インターフェース方法。
【００８０】
（付記２１）
コンピュータを主装置間インターフェース装置として機能させるための主装置間インターフェース装置用プログラムであって、
コンピュータを、
第１規格主装置から出力される制御データに基づいて、第２規格主装置に含まれる制御部を動作させるために、前記第１規格主装置と前記第２規格主装置との間に設けられる制御データ用インターフェース部と、
前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継をするために、前記第１規格主装置と前記第２規格主装置との間に設けられるコンテンツデータ用インターフェース部と、
として機能させるための主装置間インターフェース用プログラム。
【００８１】
（付記２２）
付記２１に記載の主装置間インターフェース用プログラムであって、
前記制御データにより動作する前記制御部により制御される前記第２規格主装置が、前記第１規格主装置に接続された基地局が送受信するコンテンツデータ及び前記第２規格主装置に接続された基地局が送受信するコンテンツデータに対して、多重化及び多重分離をすることにより中継するための主制御データを、前記制御データが含むことを特徴とする主装置間インターフェース用プログラム。
【００８２】
（付記２３）
付記２１又は２２に記載の主装置間インターフェース用プログラムであって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第１規格主装置から前記第２規格主装置に対して出力される第１方向呼制御データを、前記制御データが含むことを特徴とする主装置間インターフェース用プログラム。
【００８３】
（付記２４）
付記２１乃至２３の何れか１に記載の主装置間インターフェース用プログラムであって、
前記制御データ用インターフェース部は、前記第１規格主装置から出力される制御データを、前記制御部に備わるインターフェースの仕様に従うように変換するための第１変換部を備え、
前記第１変換部により前記インターフェースの仕様に従うようになった前記制御データが、前記インターフェースを介して前記制御部に入力されることを特徴とする主装置間インターフェース用プログラム。
【００８４】
（付記２５）
付記２１乃至２４の何れか１に記載の主装置間インターフェース用プログラムであって、
前記第１規格主装置に接続された基地局に接続された端末と、前記第２規格主装置に接続された基地局に接続された端末又は前記第２規格主装置に接続された他の第２規格主装置に接続された基地局に接続された端末との間の呼を制御するための呼制御データのうち、前記第２規格主装置から前記第１規格主装置に対して出力される第２方向呼制御データは、前記制御部に備わるインターフェースから該インターフェースの仕様に従って出力され、
前記制御データ用インターフェース部は、
前記制御部に備わるインターフェースから該インターフェースの仕様に従って出力された前記第２方向呼制御データを、前記第１規格主装置の仕様に従うように変換するための第２変換部を備えることを特徴とする主装置間インターフェース用プログラム。
【００８５】
（付記２６）
付記２１乃至２５の何れか１に記載の主装置間インターフェース用プログラムであって、
前記コンテンツデータ用インターフェース部は、
前記第１規格主装置から入力するコンテンツデータのフレームフォーマットを、前記第１規格主装置のフレームフォーマットから前記第２規格主装置のフレームフォーマットに変換する第１フレームフォーマット変換部と、
前記第２規格主装置で多重分離されたコンテンツデータであって、前記第１規格主装置に出力するべきコンテンツデータを入力し、該コンテンツデータのフレームフォーマットを、前記第２規格主装置のフレームフォーマットから前記第１規格主装置のフレームフォーマットに変換する第２フレームフォーマット変換部と、
を備え、
前記第１フレームフォーマット変換部による前記変換により、前記第２規格主装置が、前記第１規格主装置から入力するコンテンツデータを、他のコンテンツデータと多重化することができるようになり、
前記第２フレームフォーマット変換部による前記変換により、前記第１規格主装置が、前記第２規格主装置から入力するコンテンツデータを、他のコンテンツデータと多重化することができるようになることを特徴とする主装置間インターフェース用プログラム。
【００８６】
（付記２７）
付記２１乃至２６の何れか１に記載の主装置間インターフェース用プログラムであって、
コンピュータを、前記第１規格主装置が生成したクロック信号を利用して前記第２規格主装置が動作するようにするためのクロックインターフェース部として更に機能させるための主装置間インターフェース用プログラム。
【００８７】
（付記２８）
付記２１乃至２７の何れか１に記載の主装置間インターフェース用プログラムであって、
前記第２規格主装置が前記第１規格主装置から入力する前記制御データと前記コンテンツデータは多重化されており、
コンピュータを、多重化されている前記制御データと前記コンテンツデータに対して多重分離を行う多重分離手段として更に機能させるための主装置間インターフェース用プログラム。
【００８８】
（付記２９）
付記２１乃至２７の何れか１に記載の主装置間インターフェース用プログラムであって、
コンピュータを、前記第２規格主装置が前記第１規格主装置に出力するべき制御データと前記コンテンツデータとを多重化するための多重化手段として更に機能させ、
前記第１規格主装置は、前記多重化手段により多重化された前記制御データと前記コンテンツデータとを入力することを特徴とする主装置間インターフェース用プログラム。
【産業上の利用可能性】
【００８９】
本発明は、ある規格の主装置に他の規格の主装置を接続するために利用することができる。
【符号の説明】
【００９０】
１０１  第１規格主装置
１０３  制御部
１０５  増設用インターフェース
１０７  第１の接続カード
１０９  第２の接続カード
９０１−１  第１の第２規格主装置
９０１−２  第２の第２規格主装置
９０１−Ｎ  第Ｎの第２規格主装置
９０３−１〜９０３−Ｎ  制御部
【図５】
0005527830.tif 000002
【図６】
0005527830.tif 000003
【図７】
0005527830.tif 000004
【図１】
0005527830.tif 000005
【図２】
0005527830.tif 000006
【図３】
0005527830.tif 000007
【図４】
0005527830.tif 000008